(57)【要約】    【課題】簡単に見出を交換することができる見出カバーを提供する。    【解決手段】透光性シートを二つ折りにすることにより、折り目４を介して互いに連続する表片５および裏片６を形成する。表片５と裏片６とが挟む空間を書類の見出２を保持する見出保持空間７とする。表片５の折り目４からの長さを裏片６よりも長く設定する。表片５のうち、裏片６よりも突出する部位の裏面に、書類ファイルに剥離自在に貼付するための粘着層８を設ける。見出２を保持する見出カバー１を書類ファイルの任意の部位に貼付すると共に、必要に応じて剥がすようにする。【選択図】  図１
2005319603.tif 000002
【特許請求の範囲】
【請求項１】
透光性シートを二つ折りにすることにより、折り目を介して互いに連続する表片および裏片を形成してなり、表片と裏片とで挟まれる空間の少なくとも一部が書類の見出を保持する見出保持空間とされた見出カバーであって、
前記表片は、折り目からの長さを裏片よりも長く設定され、表片のうちの裏片よりも突出する部位の裏面に、書類ファイルに剥離自在に貼付するための貼付用粘着層が設けられたことを特徴とする見出カバー。
【請求項２】
前記見出保持空間に見出を留めるための見出用粘着層が設けられたことを特徴とする請求項１に記載の見出カバー。
【請求項３】
前記表片と裏片とを留めて透光性シートの折り畳み状態を維持する折り畳み用粘着層が設けられたことを特徴とする請求項１又は２に記載の見出カバー。
【請求項４】
透光性シートを二つ折りにすることにより、折り目を介して互いに連続する表片および裏片を形成してなり、表片と裏片とで挟まれる空間の少なくとも一部が書類の見出を保持する見出保持空間とされた見出カバーであって、
書類ファイルの書類保持空間に配置して使用され、
前記折り目の近傍は、折り目と平行な方向の幅を他の部位よりも小さく設定されて書類ファイルに形成されたスリットを貫通して外部に突出する突部とされ、該突部に前記見出保持空間が設けられたことを特徴とする見出カバー。
【請求項５】
請求項４に記載の見出カバーの前記突部を貫通させるスリットが形成されたことを特徴とする書類ファイル。
【請求項６】
書類を保持するファイル本体の書類保持空間に、前記見出カバーを保持するカバー保持部が設けられたことを特徴とする請求項５に記載の書類ファイル。
【請求項７】
前記カバー保持部は、透光性シートを二つ折りにすることにより、ファイル本体に連接される基片と、該基片に折り目を介して連続すると共に基片よりもファイル本体側に位置する先片とを形成してなり、
基片と先片とで挟まれる空間が見出カバーを保持するカバー保持空間とされ、
前記見出カバーの突部を貫通させるスリットが、カバー保持部の折り目とファイル本体への連接部との少なくとも一方に形成されたことを特徴とする請求項６に記載の書類ファイル。
【請求項８】
前記カバー保持部は、ファイル本体との間に見出カバーを保持するシートをポケット状に設けてなることを特徴とする請求項６に記載の書類ファイル。
【請求項９】
前記カバー保持部は、ファイル本体に見出カバーの一部を挿入する切り込みを形成してなることを特徴とする請求項６に記載の書類ファイル。
【請求項１０】
書類を保持するファイル本体に、書類の見出を保持する見出カバーを設けてなる書類ファイルであって、
前記見出カバーは、透光性シートを三つ折りにすることにより、ファイル本体に連接される基片と、該基片に第１の折り目を介して連続すると共に基片よりもファイル本体側に位置する中片と、該中片に第２の折り目を介して連続する先片とを形成してなり、
前記中片と先片とで挟まれる空間が書類の見出を保持する見出保持空間とされ、
前記中片の第１の折り目からの長さが基片よりも長く設定されると共に、前記見出保持空間を構成する部位の第２の折り目と平行な方向の幅が基片のファイル本体への連接部よりも小さく設定され、
前記連接部に、見出保持空間を構成する部位を貫通させて外部に突出させるスリットが形成されたことを特徴とする書類ファイル。
【発明の詳細な説明】
【技術分野】
【０００１】
本発明は、書類ファイルのファイル本体が保持する書類の見出を保護するための見出カバーに関するものである。
【背景技術】
【０００２】
一般に、書類ファイルは、そのファイル本体が保持する書類の見出を付して使用するようになっている。図１８に見出を付した書類ファイルの一例（特許文献１）を示す。
【０００３】
この書類ファイルは、ファイル本体（ボックスファイル）１０１に、長方形のシート状の見出１０２をスライド自在に保持する見出保持部（収納体）１０３を設けた構造とされている。見出保持部１０３は、開放部１０４を有する偏平な袋状とされ、その開放部１０４から見出１０２を出没させるようになっている。
【特許文献１】特開２００１−１５０８５７号公報（段落番号００１４〜段落番号００１７、第２図）
【発明の開示】
【発明が解決しようとする課題】
【０００４】
ところで、あらかじめファイル本体とセットの見出を用意しておく代わりに、あり合わせの薄紙や、付箋紙などを見出として使用できれば、書類を取り替えるときなどに見出を簡単に交換することができる。また、見出の形状を長方形に限定することなく、種々の形状の見出しを使用できれば好適である。
【０００５】
しかし、特許文献１のような袋状の見出保持部は、見出をスライドさせながら開放部から出没させるようになっているので、皺になりやすい薄紙や、粘着部のある付箋紙、側辺が凹凸の引っ掛かりやすいシートを見出として使用しにくい。
【０００６】
本発明は、見出を保護することにより、あり合わせの薄紙などを見出として使用可能にするための見出カバーを提供することを目的とする。
【課題を解決するための手段】
【０００７】
上記目的を達成するために、本発明が提供する見出カバーは、透光性シートを二つ折りにすることにより、折り目を介して互いに連続する表片および裏片を形成したものであり、表片と裏片とが挟む空間の少なくとも一部を書類の見出を保持する見出保持空間とするものである。
【０００８】
表片の折り目からの長さを裏片よりも長く設定し、表片のうち、裏片よりも突出する部位の裏面に、書類ファイルに剥離自在に貼付するための貼付用粘着層を設ければ、見出を保持する見出カバーを書類ファイルの任意の部位に貼付すると共に、必要に応じて剥がすことができる。
【０００９】
見出として粘着部のある付箋紙などを使用することによって見出を見出カバーに留めるようにしてもよいが、見出カバーの見出保持空間に見出を留めるための見出用粘着層を設ければ、粘着部のない紙などを見出として使用することができる。
【００１０】
書類ファイルに貼付する表片と書類ファイルとで裏片を挟むことにより、透光性シートの折り畳み状態を維持するようにしてもよいが、表片と裏片とを留めて透光性シートの折り畳み状態を維持する折り畳み用粘着層を設ければ、裏片の全体を書類ファイルから突出させることができるので、書類ファイルのうち、見出カバーを取付可能な範囲を広くすることができる。
【００１１】
見出カバーを書類ファイルの書類保持空間に配置して使用する場合、透光性シートの折り目の近傍に、折り目と平行な方向の幅を他の部位よりも小さく設定してなる突部を形成し、この突部を構成する部位の表片と裏片との間を見出保持空間とする。突部を書類ファイルに形成したスリットを貫通させて外部に突出させれば、スリットが見出カバーの動きを規制することによって、見出カバーが不意に外れることを防止することができる。
【００１２】
また、本発明は、見出カバーの突部を貫通させるスリットを形成した書類ファイルを提供する。この書類ファイルに付す見出カバーとして、貼付用粘着層を有するものを採用してもよいが、書類を保持するファイル本体の書類保持空間に、見出カバーを保持するカバー保持部を設ければ、貼付用粘着層のない見出カバーを採用しても書類ファイルから容易に外れないようにすることができる。
【００１３】
カバー保持部の構成としては、透光性シートを二つ折りにして、ファイル本体に連接される基片と、この基片に折り目を介して連続する先片とを形成した構成を例示することができる。この場合、先片を基片よりもファイル本体側に位置させて、基片と先片とで挟まれる空間を見出カバーを保持するカバー保持空間とし、カバー保持部の折り目とファイル本体への連接部との少なくとも一方に、見出カバーの突部を貫通させるスリットを形成する。
【００１４】
このカバー保持部の構成によれば、ファイル本体とこれに連接される基片とで先片を挟んで、透光性シートを折り畳んだ状態に維持すると共に、見出カバーの突部にスリットを貫通させることにより、見出カバーの不意の外れを防止することができる。一方、透光性シートを捲ることにより、見出カバーを容易に着脱することができる。
【００１５】
また、カバー保持部の別の構成として、ファイル本体との間に見出カバーを保持するシートをポケット状に設けた構成や、ファイル本体に見出カバーの一部を挿入する切り込みを形成した構成を採用することもできる。
【００１６】
また、本発明は、書類を保持するファイル本体に、書類の見出を保持する見出カバーを一体的に設けた書類ファイルを提供する。この書類ファイルの見出カバーとしては、透光性シートを三つ折りにすることにより、ファイル本体に連接される基片と、基片に第１の折り目を介して連続すると共に基片よりもファイル本体側に位置する中片と、中片に第２の折り目を介して連続する先片とを形成した構成を採用することができる。
【００１７】
中片と先片とで挟まれる空間を書類の見出を保持する見出保持空間とし、中片の第１の折り目からの長さを基片よりも長く設定する。第２の折り目と平行な方向における見出保持空間を構成する部位の幅を基片のファイル本体への連接部よりも小さく設定し、連接部に、見出保持空間を構成する部位を貫通させて外部に突出させるスリットを形成する。そうすれば、スリットが見出保持空間を構成する部位の動きを規制するので、見出カバーを安定させることができる。
【発明の効果】
【００１８】
本発明によると、見出カバーによって見出を保護するようにしているので、皺になりやすい薄紙や、粘着部のある付箋紙、側辺が凹凸の引っ掛かりやすいシートなど、紙状のあらゆるものを見出として使用することができる。また、書類ファイルから見出カバーを取り外したり、捲ってほぐしたりすることにより、見出カバーを繰り返し使用することができる。
【発明を実施するための最良の形態】
【００１９】
以下、本発明に係る見出カバーの実施の形態について、図面を用いて説明する。
【００２０】
［第１実施形態］
まず、本発明の第１実施形態について説明する。図１は本発明の第１実施形態を示す見出カバーの斜視図であり、（ａ）は見出を保持する前の状態を示し、（ｂ）は見出を保持して書類ファイルに貼付する状態を示す。図２は粘着層を設ける範囲を示す断面図、図３は粘着層の断面図である。
【００２１】
第１実施形態の見出カバー１は、書類の見出２を保持して保護すると共に書類ファイル３に貼付するものであり、例えば合成樹脂からなる長方形の透光性シートを二つ折りにすることにより、折り目４を介して互いに連続する表片５および裏片６を形成した構造とされる。この見出カバー１の構造において、表片５と裏片６とで挟まれる空間が見出２を保持する見出保持空間７とされる。
【００２２】
表片５は、折り目４からの長さを裏片６の長さよりも長く設定され、この表片５の裏面に、粘着材を塗布したり両面テープを配置したりしてなる粘着層８が形成される。図２（ａ）〜（ｃ）に示すように、表片５の裏面は、裏片６よりも突出する部位である領域Ａと、裏片６を直接重ねる部位である領域Ｂと、見出２を配置する部位である領域Ｃとに分類され、見出カバー１の使用形態に応じて、領域Ａ、Ｂ、Ｃのうちの粘着層８を形成する領域が選択される。
【００２３】
領域Ａの粘着層８は、書類ファイル３に貼付するための貼付用粘着層として機能する。領域Ｂの粘着層８は、表片５と裏片６とを留めて透光性シートの折り畳み状態を維持するための折り畳み用粘着層として機能する。領域Ｃの粘着層８は、見出保持空間７に見出２を留めるための見出用粘着層として機能する。
【００２４】
図２（ａ）は、見出２として通常の紙などを使用する場合であり、領域Ａ、Ｂ、Ｃに粘着層８が形成されている。領域Ａおよび領域Ｂの粘着層８により、折り畳んだ見出カバー１を書類ファイル３のあらゆる部位に貼付することができ、領域Ｃの粘着層８により、粘着部を有しない通常の紙などを見出２として使用できるようになっている。
【００２５】
図２（ｂ）は、見出２として付箋紙やタックシールなどの粘着部を有するものを使用する場合であり、領域Ａ、Ｂに粘着層８が形成されている。領域Ａおよび領域Ｂの粘着層８により、折り畳んだ見出カバー１を書類ファイル３のあらゆる部位に貼付することができる。見出２は、その粘着部によって見出カバー１に留められる。
【００２６】
図２（ｃ）は、見出２として付箋紙やタックシールなどの粘着部を有するものを使用する場合であるが、領域Ａのみに粘着層８が形成されている。領域Ａの粘着層８により、折り畳んだ見出カバー１を書類ファイル３に貼付し、表片５と書類ファイル３との間に裏片６を挟むことにより、透光性シートの折り畳み状態を維持するようになっている。この場合の見出カバー１は、裏片６と書類ファイル３とを対向させる部位に貼付することができる。見出２は、その粘着部によって見出カバー１に留められる。
【００２７】
粘着層８は、例えば見出カバー１の表片５の裏面に強粘着層８ａを形成し、この強粘着層８ａに重ねて弱粘着層８ｂを形成して構成される。これにより、貼付する側から剥離自在とされると共に、書類ファイル３から剥がしたり、表片５と裏片６とを剥がしたり、見出２を剥がしたりする際に、粘着層８の見出カバー１の表片６からの剥離が防止される。なお、弱粘着層８ｂとしてウレタン樹脂を塗布することにより、剥がした後に水拭きして粘着力を回復させるようにしてもよい。
【００２８】
上記構成によれば、見出カバー１によって書類の見出２を保護すると共に、見出２を保持した見出カバー１を書類ファイル３の任意の部位に貼付することができる。これにより、粘着部のある付箋紙やタックシール、皺になりやすい薄紙、側辺が凹凸の引っ掛かりやすいシートなどの紙状のあらゆるものを見出２として使用することができる。また、粘着層８を剥離自在に形成することにより、見出カバー１を繰り返し使用することができる。
【００２９】
［第２実施形態］
次に、本発明の第２実施形態について説明する。図４は本発明の第２実施形態を示す見出カバーの平面図であり、（ａ）は折り畳み前を示し、（ｂ）は折り畳み後を示す。図５は書類ファイルへの取付位置を示す斜視図、図６は見出用ページの斜視図である。
【００３０】
第２実施形態の見出カバー９は、第１実施形態の見出カバー１とほぼ同じ構成であるが、凸形の透光性シートを二つ折りにした構造とされる。透光性シートを凸形に形成することにより、折り畳んだ状態における折り目４の近傍は、折り目４に平行な方向における幅を他の部位よりも小さく設定してなる突部１０とされ、この突部１０に見出保持空間７が設けられる。なお、粘着層８は、領域Ａ、Ｂ、Ｃに形成され、見出２として通常の紙などを使用するようになっている。
【００３１】
図５（ａ）〜（ｅ）に示すように、見出カバー９を取り付ける書類ファイル３は、二つ折りのものや袋状のものなど、あらゆるものを採用することができる。見出カバー９を貼付する部位は書類ファイル３の外面であってもよいが、図５（ａ）のように、見出カバー９を書類ファイル３の内面に貼付して書類保持空間１１に配置し、見出保持空間７を有する突部１０を書類ファイル３の端縁から突出させるようにしてもよい。
【００３２】
図５（ｂ）〜（ｅ）のように、書類ファイル３にスリット１２を形成しておき、書類ファイル３の書類保持空間１１に見出カバー９を配置し、見出カバー９の突部１０をスリット１２を貫通させて外部に突出させてもよい。これにより、スリット１２で見出カバー９の動きを規制して外れにくくすると共に、突部１０に設けられた見出保持空間７の見出２を視認できるようになっている。
【００３３】
スリット１２は、図５（ｂ）のように、二つ折りの書類ファイル３の端縁付近や、図５（ｃ）、（ｄ）のように、二つ折りの書類ファイル３の背部、図５（ｅ）のように、袋状の書類ファイル３の側縁など、あらゆる部位に形成することができ、その数も１カ所だけでなく複数カ所であってもよい。
【００３４】
なお、傷の防止などを目的として書類ファイル３の表面の粗度が大きく設定されている場合には、書類ファイル３に粘着層８が付きにくくなるが、書類ファイル３のうち、見出カバー９を貼付する部位を平滑にする処理を施しておくことにより、粘着層８の粘着力を高めることができる。
【００３５】
また、図６に示すように、見出２を保持する見出カバー９を書類ファイル３に直接取り付ける代わりに、書類ファイル３に見出用ページ１３を設けて、この見出用ページ１３に見出カバー９を取り付けることもできる。
【００３６】
［第３実施形態］
次に、本発明の第３実施形態について説明する。図７は本発明の第３実施形態を示す見出カバーの斜視図である。
【００３７】
第３実施形態の見出カバー１４は、第２実施形態の見出カバー９とほぼ同じ構成であるが、その粘着層１５が領域Ａに形成される粘着層１５ａと、領域Ｂ、Ｃに形成される粘着層１５ｂとに分けて形成されている。他の構成は、第２実施形態と同じである。
【００３８】
［第４実施形態］
次に、本発明の第４実施形態について説明する。図８は本発明の第４実施形態を示す見出カバーの斜視図であり、（ａ）は折り畳み前を示し、（ｂ）は折り畳み後を示す。図９はカバー保持部を示す斜視図であり、（ａ）は見出カバーの装着前を示し、（ｂ）は見出カバーの装着後を示す。図１０は見出用の紙を貼付した見出カバーの斜視図であり、（ａ）は見出カバーを切り抜く前のシートを示し、（ｂ）はシートから切り抜いた見出カバーを示す。図１１は複数のカバー保持部を有する書類ファイルの要部を示す図である。
【００３９】
第４実施形態の見出カバー１６は、Ｈ形の透光性シートを二つ折りにすることにより、折り目４を介して互いに連続する表片５および裏片６を形成した構造とされる。折り目４の近傍は、折り目４と平行な方向の幅が他の部位よりも小さい突部１０とされ、この突部１０において、表片５と裏片６とで挟まれる空間が見出２を保持する見出保持空間７とされる。
【００４０】
見出カバー１６を取り付ける書類ファイル３は、書類を保持するファイル本体１７の書類保持空間１１にカバー保持部１８を設けてなり、そのカバー保持部１８に、見出２を保持した見出カバー１６を装着するようになっている。
【００４１】
カバー保持部１８は、長方形の透光性シートを二つ折りにすることにより、ファイル本体１７に溶着される基片１９と、この基片１９に折り目２０を介して連続する先片２１とを形成してなる。ここで、基片１９は、折り目２０とは反対側の端縁をファイル本体１７に溶着される。なお、基片１９をファイル本体１７に溶着する代わりに、ファイル本体１７と一体に形成してもよい。
【００４２】
先片２１は、基片１９とファイル本体１７との間に位置し、基片１９と先片２１とで挟まれる空間が見出カバー１６を保持するカバー保持空間２２とされる。カバー保持空間２２に装着された見出カバー１６の突部１０は、カバー保持部１８の折り目２０に形成されたスリット１２ａ、あるいは基片１９のファイル本体１７への溶着部２３に形成されたスリット１２ｂを貫通して外部に突出するようになっている。
【００４３】
見出２は、付箋紙やタックシールを用いることにより、あるいは、表片５又は裏片６の内面に粘着層を形成しておくことにより、見出保持空間７に保持される。粘着層は、表片５の内面又は裏片６の内面における全面に設けてもよく、一部に設けてもよい。
【００４４】
上記構成によれば、見出カバー１６の突部１０をカバー保持部１８のスリット１２ａ、１２ｂを貫通させることにより、見出カバー１６がカバー保持部１８から不意に外れないようにすることができる。しかも、カバー保持部１８を捲ることにより、見出カバー１６を容易に着脱することができる。
【００４５】
また、突部１０をカバー保持部１８の折り目２０に形成したスリット１２ａから突出させるか、あるいは、ファイル本体１７への溶着部２３に形成したスリット１２ｂから突出させるかを選択することにより、書類を分類することができる。
【００４６】
なお、見出２を保持するための別の手法として、図１０に示すように、あらかじめ、表片５又は裏片６の内面に見出２を貼っておくようにしてもよい。この場合、図１０（ａ）のように、見出カバー２を切り抜く透光性シート２４の半分の領域に紙２５を貼り付けておき、その領域の境界を跨ぐように見出カバー２を切り抜く。これにより、図１０（ｂ）のように、折り目４を境界とする一方の領域のみに見出２が貼り付けられた見出カバー１６が形成される。
【００４７】
また、図１１に示すように、カバー保持部１８は、１カ所に限らず、ファイル本体１７の複数カ所に設けてもよい。この場合、図１１（ａ）のように、カバー保持部１８をファイル本体１７の一面側にのみ設けてもよく、図１１（ｂ）のように、カバー保持部１８をファイル本体１７の両面に交互に設けてもよい。
【００４８】
図１１（ａ）又は（ｂ）の手法を用いて、図１１（ｃ）のように、ファイル本体１７にカバー保持部１８を並設することにより、書類の分類を細分化することができる。さらに、見出２や、見出カバー１６の色を選択して書類を分類するようにしてもよい。
【００４９】
［第５実施形態］
次に、本発明の第５実施形態について説明する。図１２は本発明の第５実施形態を示す見出カバーの斜視図、（ａ）は折り畳み前を示し、（ｂ）は折り畳み後を示す。図１３はカバー保持部を示す斜視図であり、（ａ）は見出カバーの装着前を示し、（ｂ）、（ｃ）は見出カバーの装着後を示す。
【００５０】
第５実施形態の見出カバー２６は、第４実施形態の見出カバー１６とほぼ同じ構成であるが、凹形の透光性シートを二つ折りにすることにより、折り目４に沿う方向の端部に突部１０を形成した構造とされる。見出カバー２６の表片５のうち、突部１０とは反対側の部位には、カバー保持部２７のスリット１２に係合する突片２８が形成されている。
【００５１】
カバー保持部２７は、その基片１９の折り目２０とは反対側の端縁をその一端から所定の長さだけファイル本体１７に溶着されている。これにより、カバー保持部２７に見出カバー２６を装着した際に、スリットを構成する端縁の残部２９、あるいは折り目２０に形成されたスリット１２から見出カバー２６の突部１０が突出するようになっている。
【００５２】
この実施形態では、図１３（ｂ）のように、突部１０を残部２９から突出させるか、図１３（ｃ）のように、スリット１２から突出させるかにより、書類を分類することができる。突部１０を残部２９から突出させる場合、スリット１２に突片２８が係合することにより、見出カバー２６がカバー保持部２７から外れないようになっている。他の構成は、第４実施形態と同じである。
【００５３】
［第６実施形態］
次に、本発明の第６実施形態について説明する。図１４は本発明の第６実施形態を示す斜視図である。
【００５４】
第６実施形態は、第４実施形態とほぼ同じ構成であるが、見出カバー１６の突部１０を貫通させるスリット１２がファイル本体１７の背部に形成されている。見出カバー１６を保持するカバー保持部３０は、スリット１２の近傍に配置したシート３１の３辺をファイル本体１７に溶着することによるポケット状の構造とされ、シート３１とファイル本体１７との間に見出カバー１６を保持するようになっている。他の構成は、第４実施形態と同じである。
【００５５】
［第７実施形態］
次に、本発明の第７実施形態について説明する。図１５は本発明の第７実施形態を示す斜視図である。
【００５６】
第７実施形態は、第６実施形態とほぼ同じ構成であるが、そのカバー保持部３２は、ファイル本体１７のうちのスリット１２の近傍に見出カバー１６の一部を挿入する切り込み３３を形成した構成とされる。他の構成は、第６実施形態と同じである。
【００５７】
［第８実施形態］
次に、本発明の第８実施形態について説明する。図１６は本発明の第８実施形態を示す見出カバーの斜視図であり、（ａ）は折り畳み前を示し、（ｂ）は折り畳み後を示す。
【００５８】
第８実施形態の見出カバー３４は、凸形の透光性シートを渦巻き状に三つ折りにすることにより、ファイル本体１７に溶着される基片３５と、基片３５に第１の折り目３６を介して連続する中片３７と、中片３７に第２の折り目３８を介して連続する先片３９とを形成してなる。これにより、中片３７が基片３５とファイル本体１７との間に位置し、先片３９が基片３５と中片３７との間に位置する。
【００５９】
ここで、基片３５は、第１の折り目３６とは反対側の端縁をファイル本体１７に溶着される。なお、基片３５をファイル本体１７に溶着する代わりに、ファイル本体１７と一体に形成してもよい。
【００６０】
中片３７は、第１の折り目３６からの長さを基片３５よりも長く設定され、中片３７の先端部と先片３９とで構成される突部１０において、中片３７と先片３９とで挟まれる空間が見出保持空間７とされる。
【００６１】
突部１０は、第１の折り目３６に沿う方向の幅が基片３５のファイル本体１７への溶着部２３よりも小さく設定され、溶着部２３に形成されたスリット１２を貫通して外部に突出するようになっている。
【００６２】
上記構成によれば、見出カバー３４を折り畳むことにより、見出保持空間７に見出２を保持することができる。しかも、見出カバー３４を捲ることにより、見出２を容易に着脱することができる。突部１０がスリット１２を貫通するので、見出カバー３４の折り畳んだ状態を維持すると共に、見出カバー３４のぐらつきを防止することができる。
【００６３】
［第９実施形態］
次に、本発明の第９実施形態について説明する。図１７は本発明の第９実施形態を示す見出カバーの斜視図であり、（ａ）は折り畳み前を示し、（ｂ）は折り畳み後を示す。
【００６４】
第９実施形態の見出カバー４０は、第８実施形態の見出カバー３４とほぼ同じ構成であるが、Ｌ形の透光性シートを渦巻き状に三つ折りにすることにより、第２の折り目３８に沿う方向の端部に突部１０を形成した構造とされる。
【００６５】
基片３５は、第１の折り目３６とは反対側の端縁をその一端から所定の長さだけファイル本体１７に溶着されている。これにより、見出カバー４０を折り畳んだ際に、スリットを構成する端縁の残部２９から突部１０が突出するようになっている。他の構成は、第８実施形態と同じである。
【図面の簡単な説明】
【００６６】
【図１】本発明の第１実施形態を示す見出カバーの斜視図
【図２】粘着層を設ける範囲を示す断面図
【図３】粘着層の断面図
【図４】本発明の第２実施形態を示す見出カバーの平面図
【図５】書類ファイルへの取付位置を示す斜視図
【図６】見出用ページの斜視図
【図７】本発明の第３実施形態を示す見出カバーの斜視図
【図８】本発明の第４実施形態を示す見出カバーの斜視図
【図９】カバー保持部を示す斜視図
【図１０】見出用の紙を貼付した見出カバーの斜視図
【図１１】複数のカバー保持部を有する書類ファイルの要部を示す図
【図１２】本発明の第５実施形態を示す見出カバーの斜視図
【図１３】カバー保持部を示す斜視図
【図１４】本発明の第６実施形態を示す斜視図
【図１５】本発明の第７実施形態を示す斜視図
【図１６】本発明の第８実施形態を示す見出カバーの斜視図
【図１７】本発明の第９実施形態を示す見出カバーの斜視図
【図１８】従来の見出を付した書類ファイルの斜視図
【符号の説明】
【００６７】
１    見出カバー（第１実施形態）
２    見出
３    書類ファイル
４    折り目
５    表片
６    裏片
７    見出保持空間
８    粘着層
９    見出カバー（第２実施形態）
１０  突部
１１  書類保持空間
１２  スリット
１４  見出カバー（第３実施形態）
１５  粘着層
１６  見出カバー（第４実施形態）
１７  ファイル本体
１８  カバー保持部
１９  基片
２０  折り目
２１  先片
２２  カバー保持空間
２３  溶着部
２６  見出カバー（第５実施形態）
２７  カバー保持部
２９  残部
３０  カバー保持部（第６実施形態）
３２  カバー保持部（第７実施形態）
３４  見出カバー（第８実施形態）
３５  基片
３６  第１の折り目
３７  中片
３８  第２の折り目
３９  先片
４０  見出カバー（第９実施形態）
【図１】
2005319603.tif 000003
【図２】
2005319603.tif 000004
【図３】
2005319603.tif 000005
【図４】
2005319603.tif 000006
【図５】
2005319603.tif 000007
【図６】
2005319603.tif 000008
【図７】
2005319603.tif 000009
【図８】
2005319603.tif 000010
【図９】
2005319603.tif 000011
【図１０】
2005319603.tif 000012
【図１１】
2005319603.tif 000013
【図１２】
2005319603.tif 000014
【図１３】
2005319603.tif 000015
【図１４】
2005319603.tif 000016
【図１５】
2005319603.tif 000017
【図１６】
2005319603.tif 000018
【図１７】
2005319603.tif 000019
【図１８】
2005319603.tif 000020